(57)【要約】【課題】ＧＰＳ機能を備えるブルートゥースハンズフリー装置を安価に提供する。【解決手段】ＧＰＳ機能を備えるブルートゥースハンズフリー装置は、内部回路にブルートゥースモジュール１１、アンテナ１２、第１の電源変換回路１３、電池１４、イヤホン１５、マイク１６および第１の接続部材１７を備え、対応するブルートゥースチップが設置された携帯電話と無線信号伝送を行うことができるブルートゥースイヤホン１と、内部回路に第２の接続部材２１、電源接続部材２２、第２の電源変換回路２３、マイク２４、音声出力装置２７およびＧＰＳモジュール３０を備え、第１の接続部材１７および第２の接続部材２１によってブルートゥースイヤホン１と電気的に接続され、信号を相互伝送し、ブルートゥースイヤホン１が必要とする電源および充電を提供する設置主体２と、を備える。【選択図】図７
0003135205.tif 000002
【実用新案登録請求の範囲】
【請求項１】
内部回路にブルートゥースモジュール、アンテナ、第１の電源変換回路、電池、イヤホン、マイクおよび第１の接続部材を備え、対応するブルートゥースチップが設置された携帯電話と無線信号伝送を行うブルートゥースイヤホンと、
内部回路に第２の接続部材、電源接続部材、第２の電源変換回路、マイク、音声出力装置およびＧＰＳモジュールを備え、前記第１の接続部材および第２の接続部材によって前記ブルートゥースイヤホンと電気的に接続されて信号を相互伝送し、前記ブルートゥースイヤホンが必要とする電源を提供する設置主体と、を備え、
上述の構成によって、ブルートゥースイヤホンが連結された設置主体とブルートゥース機能を備える表示機能を有する電子装置とが無線接続され、前記ＧＰＳモジュールのデータを電子地図アプリケーションソフトが起動された前記表示機能を有する電子装置に伝送し、前記表示機能であるモニタに伝送された内容を表示して運転中の電子地図として利用されることを特徴とするＧＰＳ機能を備えるブルートゥースハンズフリー装置。
【請求項２】
前記ブルートゥースイヤホンまたは設置主体は、音声品質改善回路を備えることを特徴とする請求項１記載のＧＰＳ機能を備えるブルートゥースハンズフリー装置。
【請求項３】
前記音声品質改善回路は、エコーキャンセル回路またはノイズ抑制回路であることを特徴とする請求項２記載のＧＰＳ機能を備えるブルートゥースハンズフリー装置。
【請求項４】
前記音声品質改善回路は、エコーキャンセル回路またはノイズ抑制回路であることを特徴とする請求項２記載のＧＰＳ機能を備えるブルートゥースハンズフリー装置。
【請求項５】
前記ブルートゥースイヤホン内には、更に電池充電回路が設置され、前記ブルートゥースイヤホン内の電池に充電を行うことを特徴とする請求項１記載のＧＰＳ機能を備えるブルートゥースハンズフリー装置。
【請求項６】
前記設置主体には、更に音声出力調整回路が設置され、音声出力装置の音声信号の増幅または減衰が制御されることを特徴とする請求項１記載のＧＰＳ機能を備えるブルートゥースハンズフリー装置。
【請求項７】
前記設置主体は、更にマイクを備え、前記マイクは設置主体に内蔵されるか、設置主体外部に接続されることを特徴とする請求項１記載のＧＰＳ機能を備えるブルートゥースハンズフリー装置。
【請求項８】
前記設置主体の音声出力装置は、設置主体に内蔵されるか、設置主体外部に接続されることを特徴とする請求項１記載のＧＰＳ機能を備えるブルートゥースハンズフリー装置。
【請求項９】
前記設置主体の電力は、電源供給装置または内蔵電源によって提供されることを特徴とする請求項１記載のＧＰＳ機能を備えるブルートゥースハンズフリー装置。
【請求項１０】
前記設置主体に内蔵された電源は、充電回路および電池であり、前記充電回路はブルートゥースイヤホン内部の電池および設置主体内部の電池に同時に充電を行うことを特徴とする請求項９記載のＧＰＳ機能を備えるブルートゥースハンズフリー装置。
【請求項１１】
前記設置主体の電源供給装置は、コンセント、交流／直流変圧器または車用電源から構成されることを特徴とする請求項９記載のＧＰＳ機能を備えるブルートゥースハンズフリー装置。
【請求項１２】
前記設置主体の音声出力装置は、スピーカであることを特徴とする請求項１記載のＧＰＳ機能を備えるブルートゥースハンズフリー装置。
【請求項１３】
前記設置主体の音声出力装置は、音響装置型消音制御システム装置であることを特徴とする請求項１記載のＧＰＳ機能を備えるブルートゥースハンズフリー装置。
【請求項１４】
前記ブルートゥースイヤホンの電池は、外部接続式または内蔵式であることを特徴とする請求項１記載のＧＰＳ機能を備えるブルートゥースハンズフリー装置。
【請求項１５】
前記表示機能を有する電子装置は、パーソナルコンピュータ、携帯電話、ＰＤＡ、ノート型パソコンまたはスマートフォンであることを特徴とする請求項１記載のＧＰＳ機能を備えるブルートゥースハンズフリー装置。
【請求項１６】
前記電源接続部材は、プラグ、コンセントまたは接触端子であることを特徴とする請求項１記載のＧＰＳ機能を備えるブルートゥースハンズフリー装置。
【請求項１７】
前記第１の接続部材は、プラグ、コンセントまたは接触端子であることを特徴とする請求項１記載のＧＰＳ機能を備えるブルートゥースハンズフリー装置。
【請求項１８】
前記第２の接続部材は、プラグ、コンセントまたは接触端子であることを特徴とする請求項１記載のＧＰＳ機能を備えるブルートゥースハンズフリー装置。
【請求項１９】
前記ブルートゥースイヤホンのブルートゥースモジュールは、ハンズフリー規格およびシリアルポート・プロファイル規格に符合することを特徴とする請求項１記載のＧＰＳ機能を備えるブルートゥースハンズフリー装置。
【請求項２０】
内部回路にブルートゥースモジュール、アンテナ、第１の電源変換回路、電池、イヤホン、マイクおよび第１の接続部材を備え、対応するブルートゥースチップが設置された携帯電話と無線信号伝送を行うブルートゥースイヤホンと、
内部回路に第２の接続部材、電源接続部材、第２の電源変換回路、音声出力装置およびＧＰＳモジュールを備え、第１の接続部材および第２の接続部材によってブルートゥースイヤホンと電気的に接続されて信号を相互伝送し、前記ブルートゥースイヤホンが必要とする電源を提供し、更に表示ユニットおよびその駆動回路が設けられ、電子地図アプリケーションソフトが起動された後、前記表示ユニットに表示して運転時の電子地図として使用される設置主体と、を備えることを特徴とするＧＰＳ機能を備えるブルートゥースハンズフリー装置。
【請求項２１】
前記表示ユニットは、前記設置主体の底部に固定されることを特徴とする請求項２０記載のＧＰＳ機能を備えるブルートゥースハンズフリー装置。
【請求項２２】
前記表示ユニットは、設置主体に枢軸構造によって接続された反転蓋上に設置されることを特徴とする請求項２０記載のＧＰＳ機能を備えるブルートゥースハンズフリー装置。
【請求項２３】
前記電子地図アプリケーションソフトは、ファームウェアまたはフラッシュメモリによって保存されることを特徴とする請求項２０記載のＧＰＳ機能を備えるブルートゥースハンズフリー装置。
【請求項２４】
前記設置主体は、更にマイクを備え、前記マイクは設置主体に内蔵されるか、設置主体外部に接続されることを特徴とする請求項２０記載のＧＰＳ機能を備えるブルートゥースハンズフリー装置。
【請求項２５】
前記設置主体の電力は、電源供給装置または内蔵電源によって提供されることを特徴とする請求項２０記載のＧＰＳ機能を備えるブルートゥースハンズフリー装置。
【請求項２６】
前記内蔵電源は、充電回路および電池であり、前記充電回路はブルートゥースイヤホン内部の電池および設置主体内部の電池に同時に充電を行うことを特徴とする請求項２５記載のＧＰＳ機能を備えるブルートゥースハンズフリー装置。
【請求項２７】
前記設置主体の電源供給装置は、コンセント、交流／直流変圧器または車用電源から構成されることを特徴とする請求項２５記載のＧＰＳ機能を備えるブルートゥースハンズフリー装置。
【考案の詳細な説明】
【技術分野】
【０００１】
本考案はＧＰＳ機能を備えるブルートゥースハンズフリー装置に関し、特にブルートゥースイヤホンのブルートゥースモジュールを利用し、更に関連する回路が内蔵される設置主体に音声出力装置（音響装置型携帯電話ハンズフリー消音システム装置またはスピーカ）が接続されることによってＧＰＳ機能およびブルートゥースハンズフリー機能を備える装置（音響装置型携帯電話ハンズフリー消音システム装置を接続した場合、音響装置型消音式携帯電話ハンズフリー装置となり、直接スピーカを接続した場合、ブルートゥースハンズフリー装置となり、車内で使用する場合は車内電源を使用し、室内で使用する場合は電源変換器を使用して室内の交流電源を直流電源に変換して使用する）として使用でき、設置主体および音響装置型携帯電話ハンズフリー消音システム装置またはスピーカの内部にはブルートゥースモジュールを設置する必要がないのでコストを削減でき、多くの用途に使用できるブルートゥースハンズフリー装置に関する。
【背景技術】
【０００２】
科学技術の進歩に伴って、車内用ハンズフリー装置は無線構造となり、ブルートゥース（Bluetooth）技術による無線信号の送受信は安定しており、ブルートゥース技術は成熟しているので携帯電話の各メーカーは次々と新しいブルートゥース携帯電話を市場に投入しており、ブルートゥース車内用ハンズフリー装置は急成長をするものと考えられる。
このブルートゥース(Bluetooth)とは、1998年にスェーデンのエリクソン、フィンランドのノキア、アメリカのインテルとIBM、日本の東芝で１０Mくらいの短距離無線データ通信の国際規格の名前で、例えば、（１）ケータイはカバンの中、それと結ばれた胸ポケットのペン音声通信は胸ポケットのペンだけで行え、（２）パソコンとケータイをブルートゥース対応通信カードで接続し、（３）カーオーディオとケータイを接続して音声で出来るメールの送受信が行え、（４）店舗のレジとケータイで接続してケータイで支払いを済ませることができ、（５）自動販売機とケータイを結んでケータイで支払いをし、（６）その他、地下鉄料金などの支払いも可能となる。ただし、短距離無線データ通信手段としては、赤外線ＩＲＤＡ通信や近接型非接触ＩＣカードなどがある。
しかし、一般のブルートゥース車内用ハンズフリー装置はブルートゥースイヤホンと接続できないので、一般のブルートゥース車内用ハンズフリー装置を使用して使用者が秘話通話をする場合、専用の通話装置を使用する必要がある。また、使用者が通話中下車する場合、一般のブルートゥース車内用ハンズフリー装置では一端通話を終了し、他のブルートゥースイヤホンに接続し直す必要があるので非常に不便である。
【０００３】
また、従来技術ではブルートゥース車内用ハンズフリー装置にブルートゥースイヤホンおよびブルートゥースＧＰＳ装置を加えた場合、三組のブルートゥースチップをそれぞれに装備することによって車の音響装置システム、ブルートゥースイヤホンおよびブルートゥースＧＰＳシステムを同時に使用することが可能となるが、本考案ではブルートゥースイヤホン、設置主体（ＧＰＳインターフェイスまたはモジュールを含む）および音響装置型携帯電話ハンズフリー消音システム装置またはスピーカを接続すれば音響装置またはスピーカを通じて携帯電話通話を行うことができ、秘話通話をする場合は、設置主体からブルートゥースイヤホンを取り外し、耳にセットすれば通話を行うことができ、他人に聞かれることもない。車内で使用していて通話しながら下車する場合においてもブルートゥース機能に対応した携帯電話を携帯すればブルートゥースイヤホンを使用して通話を継続することができる。
後述する本考案を使用しない場合、高価なブルートゥース車内用ハンズフリー装置およびブルートゥースイヤホンを使用しなければ上述の二つの機能を達成することができない。更に、現在流行しているブルートゥースＧＰＳ受信機を使用する場合、本考案が備える全ての機能を備えられないだけでなく、経済的に大きな負担となる。従って、如何に斬新なアーキテクチャを開発し、ＧＰＳモジュールの性能および価格を一般に普及できるものにするかは関連する市場を発展させることができるかどうかの鍵である。本考案の回路は同時にＧＰＳ受信機を備えるので上述の装置のコストを減少させ、更に便利で効率がよく、多様な用途を有し、多くの消費者に支持される装置である。
【特許文献１】特開２００６−２４５９５７号公報
【特許文献２】特開２００６−３０３５８４号公報
【考案の開示】
【考案が解決しようとする課題】
【０００４】
本考案の第１の目的は、ブルートゥースイヤホンにブルートゥースモジュールが設置され、従来技術のように、ブルートゥースイヤホンおよびハンズフリー携帯電話システムにブルートゥースモジュールをそれぞれに設置する必要がなく、コスト減少および機能拡充を達成でき、従来技術においては高コストで達成される機能を低コストで達成できるＧＰＳ機能を備えるブルートゥースハンズフリー装置を提供することにある。
本考案の第２の目的は、ブルートゥースイヤホンの設置主体とその他のブルートゥースモジュールを備える表示機能を有する電子装置とを接続することによって、ＧＰＳモジュールのデータを表示機能を有する電子装置のモニタに表示し、運転中の電子地図として使用し、最も経済的な価格でＧＰＳ機能を提供できるブルートゥースハンズフリー装置を提供することにある。
【課題を解決するための手段】
【０００５】
上述の目的を解決するために、本考案はＧＰＳ機能を備えるブルートゥースハンズフリー装置を提供するものであり、内部回路にブルートゥースモジュール、アンテナ、第１の電源変換回路、電池、イヤホン、マイクおよび第１の接続部材を備え、対応するブルートゥースチップが設置された携帯電話と無線信号伝送を行うことができるブルートゥースイヤホンと、内部回路に第２の接続部材、電源接続部材、第２の電源変換回路、マイク、音声出力装置およびＧＰＳモジュールを備え、第１の接続部材および第２の接続部材によってブルートゥースイヤホンと電気的に接続され、信号を相互伝送し、ブルートゥースイヤホンが必要とする電源および充電を提供する設置主体と、を備える。
【０００６】
上述の構成によって、ブルートゥースイヤホンの設置主体と、ブルートゥース機能を備える表示機能を有する電子装置とを接続でき、ＧＰＳモジュールのデータを電子地図アプリケーションソフトが起動されている表示機能を有した電子装置に伝送し、該電子装置のモニタに伝送の内容を表示して運転中の電子地図として利用される。
【考案の効果】
【０００７】
本考案のＧＰＳ機能を備えるブルートゥースハンズフリー装置によれば、従来技術のようにブルートゥースイヤホンおよびハンズフリー携帯電話システムにブルートゥースモジュールを、それぞれに設置する必要がないのでコストを削減でき、従来技術による手段で達成する機能と同様の機能を低コストで達成できる。特に使用時における高い利便性を備え、ブルートゥースイヤホンをブルートゥースイヤホンだけでなく、用途を拡大して各種ブルートゥースハンズフリー装置（例えば車内用ブルートゥースハンズフリー装置、ブルートゥースカーオーディオ型消音式携帯電話ハンズフリー装置、卓上ブルートゥースハンズフリー装置、卓上ブルートゥース音響装置型消音式携帯電話ハンズフリー装置、室内ブルートゥースハンズフリー装置または室内ブルートゥース音響装置型消音式携帯電話ハンズフリー装置など）として使用でき、使用されるブルートゥース携帯電話は各種ブルートゥースハンズフリー装置に対応させて接続しなおす必要がない。
【０００８】
従来技術によるブルートゥースイヤホンはイヤホンとしてだけ使用され、使用者が車内に入って車を運転し、各種ブルートゥース車内用ハンズフリー装置に変更したり、室内に戻って各種室内または卓上型のブルートゥースハンズフリー装置に変更したりする場合、使用者は使用中のブルートゥースイヤホンの機能に対応した携帯電話とブルートゥースイヤホンとの接続を一旦解除し、再び各種ブルートゥースハンズフリー装置（例えば車内用ブルートゥースハンズフリー装置、ブルートゥースカーオーディオ型消音式携帯電話ハンズフリー装置、卓上ブルートゥースハンズフリー装置、卓上ブルートゥース音響装置型消音式携帯電話ハンズフリー装置、室内ブルートゥースハンズフリー装置または室内ブルートゥース音響装置型消音式携帯電話ハンズフリー装置など）と接続して使用する必要がある。
しかし、本考案においては従来技術のように、ブルートゥース携帯電話において、ブルートゥースイヤホンおよび各種ブルートゥースハンズフリー装置を交互に使用するとき、そのつど接続したり、接続を解除したりするなどの煩わしい作業をする必要がない。
【考案を実施するための最良の形態】
【０００９】
本考案の目的、特徴および効果を示す実施例を図に沿って詳細に説明する。
図１は本考案のＧＰＳ機能を備えるブルートゥースハンズフリー装置と、ブルートゥースモジュールを備える表示機能を有する電子装置とが無線接続された状態を示す模式図である。ブルートゥースイヤホン１にはブルートゥースモジュールが設置され、設置主体２の内部にブルートゥースモジュールを設置する必要はなく、ブルートゥースイヤホン１を設置主体２に設置したとき、第１の接続部材１７と第２の接続部材２１とが電気的に接続され、ブルートゥースイヤホンの第１の接続部材１７は設置主体２に接続された電源によってブルートゥースイヤホン１に電源供給および充電を行うことができる。
【００１０】
第１の接続部材１７および第２の接続部材２１はコンセント、プラグまたは接触端子であり、接続脚（ＰＩＮ）によって接触して電気的に接続され、図面の構造だけに限定されない。また、設置主体２上のＧＰＳモジュール３０は第１の接続部材１７と第２の接続部材２１とが電気的に接続されるので、ＧＰＳモジュール３０が受信した位置信号はブルートゥースイヤホン１のブルートゥースモジュール１１によって無線方式で表示機能を有する電子装置（本実施例においてはＰＤＡ）５のブルートゥースモジュール５１に無線伝送される。ＰＤＡには電子地図データベースが内蔵されており、ＧＰＳモジュール３０のデータは電子地図アプリケーションソフト（例えばＰＡＰＡＧＯ）が起動された表示機能を有する電子装置５に伝送された後、モニタに表示され、電子地図の機能を使用できる。
【００１１】
上述の表示機能を有する電子装置５はパーソナルコンピュータ、携帯電話、ＰＤＡ、ノート型パソコンまたはスマートフォンであり、スマートフォンのボイス信号をブルートゥースイヤホン１に伝送でき、設置主体２のマイクおよび音声出力装置によって電話機能を実行できる。同時に、スマートフォンのブルートゥースモジュールはＧＰＳモジュール３０のデータを受信でき、内蔵された電子地図アプリケーションソフトによって電子地図機能を実行できる。ブルートゥースイヤホン１のブルートゥースモジュール１１はハンズフリー規格（Headset Profile）および／または（HandFree Profile：ＨＦＰ）およびシリアルポート・プロファイル（Serial Port Profile：ＳＰＰ）規格に符合する。
【００１２】
図２は、図１の設置主体底部に固定式の表示ユニットを設置した状態を示す斜視図である。設置主体２底部には表示ユニット３２が設けられ、表示ユニット３２は液晶モニタ（ＬＣＤ）から構成され、液晶モニタには関連する駆動回路（図示せず）および設置主体２内部のファームウェアまたはフラッシュメモリに保存された電子地図アプリケーションソフト（例えばＰＡＰＡＧＯ）が組み合わされ、表示機能を有する電子装置５に無線伝送することなく設置主体底部に電子地図を表示することができる。
【００１３】
図３は、図１の設置主体底部に反転式の表示ユニットを設置した状態を示す斜視図である。図２の構造とほぼ同一であるが、異なる点は表示ユニット３４が設置主体２底部に固定されておらず、設置主体２を水平に設置したとき、設置主体２に枢軸構造によって接続された反転蓋３３を設置主体２と垂直にすることができ、使用者は反転蓋３３上に設置された表示ユニット３４を電子地図として使用できる。
【００１４】
図４は、図１の設置主体上部に固定式の表示ユニットを設置した状態を示す斜視図である。設置主体２の上方に表示ユニット３５が設けられるが、ブルートゥースイヤホン１の位置によって制限されるので表示ユニット３５は図２、３に示すものよりも小さい。しかし、やはり電子地図機能を使用できる。
【００１５】
図５は、本考案のＧＰＳ機能を備えるブルートゥースハンズフリー装置の第１の実施例を示すブロック図である。図６は本考案のＧＰＳ機能を備えるブルートゥースハンズフリー装置の第２の実施例を示すブロック図である。ブルートゥースイヤホン１内部にはブルートゥースモジュール１１が設けられ、ブルートゥースモジュール１１はボイス信号を無線信号に変換して伝送する。
【００１６】
ブルートゥースモジュール１１は二種類のボイス信号処理手段を有し、その一はデジタルボイス信号であり、本実施例ではＰＣＭ信号である（図６に示す）。ＰＣＭ信号はボイスエンコーダ／デコーダ３１によってデジタル／アナログの暗号化／復号化を行い、アナログの連続したボイス信号を生成する。その二はアナログ信号（図５に示す）であり、本実施例ではスピーカ（ＳＰＫ）信号およびマイク（ＭＩＣ）信号である。デジタルであれ、アナログであれ、第１の接続部材１７および第２の接続部材２１を通じて設置主体２に伝送され、設置主体を使用したハンズフリー装置が構成される。
【００１７】
また、ブルートゥースモジュール１１にはアンテナ１２、イヤホン１５およびマイク１６が接続され、ブルートゥースイヤホン１はボイス信号の送受信機能を備えることができる。
【００１８】
ブルートゥースイヤホン１の内部には電池１４（内蔵電池）（例えばリチウム電池、リチウムポリマー電池）が設置され、電池１４は電池充電回路１８(図７．８)によって充電がなされる。当然、電池１４は一般の非充電電池（外部接続式電池）（例えばＡＡＡ単四電池、単五充電電池または水銀電池など）でもよく、このようにして電池充電回路１８を省略したり、設置主体２から電力を提供し、第２の接続部材２１および第１の接続部材１７を経由して電池１４の充電を行ったりする方法も電池１４の充電方法に採用される。第１の電源変換回路１３によって直流昇圧、降圧および電圧安定機能を達成でき、同時にブルートゥースモジュール１１に接続されてブルートゥースイヤホン１全体の電源を提供する。
【００１９】
設置主体２の電源接続部材２２は外部の電源供給装置３と接続するのに使用され、電源供給装置３は変圧器とすることができ、ＡＣ１００Ｖから２４０Ｖの交流電気を直流電源に変換して電源接続部材２２に入力する。電源接続部材２２はコンセントとすることができる。電源供給装置２２は車内においては車内用の直流電源（例えばシガーライターソケット）とすることができる。電源接続部材２２の一端は第２の電源変換回路２３および第２の接続部材２１に接続された後、第１の接続部材１７に接続され、ブルートゥースイヤホン１に電源が供給されたり、ブルートゥースイヤホン１内の電池１４に充電がされたりする。第２の電源変換回路２３の機能は変換によって各部材が必要とする直流電圧の昇圧／降圧および電圧安定機能を提供することにあり、前述のブルートゥースイヤホン１に電力を提供する以外に、マイク２４（マイク２４は省略でき、直接ブルートゥースイヤホン１のマイク１６を収音装置とすることができる）、音声出力装置２７（例えば音響装置型消音制御システム装置、スピーカであり、これらに関しては後ほど述べる）およびＧＰＳモジュール３０が必要とする電力を提供する。
【００２０】
設置主体２のマイク２４および音声出力装置２７は設置主体２に内蔵するか、設置主体２外部に接続する構造にできる。ブルートゥースイヤホン１を設置主体２に設置したとき、設置主体２のマイク２４だけを可動させ、ブルートゥースイヤホン１のマイク１６をオフにしてブルートゥースハンズフリー機能を使用するときエコーが発生するのを防止できる。
【００２１】
上述の第１の接続部材１７、第２の接続部材２１および電源接続部材２２はプラグおよびコンセントまたは接触端子とすることができ、製品の必要に符合させることができる。
【００２２】
図７は本考案のＧＰＳ機能を備えるブルートゥースハンズフリー装置の第３の実施例を示すブロック図である。ブルートゥースイヤホン１の部材には変更がなく、異なる点は設置主体２に電池２８および電池充電回路２９が増設される点にある。
【００２３】
設置主体２は内蔵電源を備え、設置主体２を持ち運ぶのに便利になっており、使用者が移動するとき、設置主体２内部に設置されたＧＰＳモジュール３０を使用することができ、極めて高い利便性を備える。当然、当該技術に熟知する者は内蔵電源（電池２８、電池充電回路２９）だけを電力源として使用し、外部接続の電源供給装置３を設置しない構造にすることもできる。
【００２４】
同時に、設置主体２の第２の接続部材２１と音声出力装置２７との間には音声品質改善回路２５および音声出力調整回路２６を設置することができ、ブルートゥースイヤホン１端から伝送された音声信号は第２の接続部材２１を経由し、音声品質改善回路２５によってエコーまたは雑音を除去できる。音声品質改善回路２５はエコーキャンセル回路（Echo Cancel Circuit）またはノイズ抑制回路（Noise Suppression Circuit）を含む電子素子とすることができ、最も優れた音声出力状態を取得することができ、同時にエコーキャンセル回路とノイズ抑制回路とを整合することもできる。また、音声出力調整回路２６を利用して音声出力装置の音声信号の増幅または減衰を制御できるので通話品質を更に高めることができる。
【００２５】
図８は本考案のＧＰＳ機能を備えるブルートゥースハンズフリー装置の第４の実施例を示すブロック図である。図７に示す実施例とほぼ同一であるが、本実施例においてはＧＰＳモジュール４が設置主体２外部に接続される方式なので、ＧＰＳモジュール４は消費者が自由に購買でき、使用者によってカスタムメイドすることができる。
【００２６】
室内で使用する場合、室内用ブルートゥースハンズフリー装置となり、車内で使用する場合は車内電源を使用して車内用ブルートゥースハンズフリー装置となる。室内では電源変換器を使用して交流電気（例えばＡＣ１００Ｖから２４０Ｖ）を直流電気に変換して本考案の電源に提供することによって室内用ブルートゥースハンズフリー装置となり、ブルートゥース充電器の充電機能を備えるだけでなく、室内用ブルートゥースハンズフリー装置の機能を備え、室内で使用するとき、音声出力装置２７は異なる実施形態を有する。
【００２７】
室内で使用する場合の第１の実施形態：音声出力装置２７は音響装置型消音制御システム装置であり、更に下記の二つの実施形態に分けられる。音響装置と接続された場合ブルートゥース音響装置型消音式携帯電話ハンズフリー装置となり、卓上に設置された場合卓上用ブルートゥース音響装置型消音式携帯電話ハンズフリー装置となる。設置時、設置主体２を設置する場所（例えば台所、作業室などで作業の邪魔にならないことを原則とし、使用者の口から適当な位置）に固定し、音響装置型携帯電話ハンズフリー消音システム装置、音響装置本体、音響装置スピーカおよび電源など関連装置を接続し、その後ブルートゥースイヤホンを設置主体２内に設置する。
【００２８】
この組合せを卓上で使用する場合、卓上用音響装置式携帯電話ハンズフリー装置となる。この組合せを室内で使用する場合、室内用音響装置式携帯電話ハンズフリー装置となる。秘話通話をするとき、設置主体２上のブルートゥースイヤホン１を使用者の耳にセットすると、ブルートゥースイヤホン１と設置主体２との接続を切断でき、音声はブルートゥースイヤホン１だけから出力される。設置主体２に接続された音響装置型携帯電話ハンズフリー消音システム装置はブルートゥースイヤホン１と設置主体２が分離したとき信号切断を行うので、携帯電話の通話音声は音響装置スピーカから出力されず、秘話通話をすることができる。このようにして充電、ブルートゥースハンズフリー、秘話通話および通話時の音響装置の消音など多機能のブルートゥース室内用または卓上用音響装置型消音式携帯電話ハンズフリー装置（その名称は使用位置に基づく）となる。音響装置スピーカは作業の邪魔にならないが音声が届く適当な位置に設置される。使用者が設置場所を離れるとき、ブルートゥース機能に対応する携帯電話を携帯すればブルートゥースイヤホンを使用して通話などの機能を継続できる。
【００２９】
室内で使用する場合の第２の実施形態：音声出力装置２７はスピーカであり、直接スピーカを接続した後、室内専用のブルートゥースハンズフリー装置となり、この組合せが卓上で使用されるとき、卓上用ブルートゥースハンズフリー装置となる。設置時、設置主体２を設置する場所（例えば台所、作業室などで作業の邪魔にならないことを原則とし、使用者の口の近傍の適当な位置）に固定し、電源およびスピーカなどを接続し、その後ブルートゥースイヤホン１を設置主体２内に設置する。このようにして充電、ブルートゥースハンズフリー、秘話通話など多機能のブルートゥース室内専用のブルートゥースハンズフリー装置（その名称は使用位置に基づく）となる。
【００３０】
秘話通話をするとき、設置主体２上のブルートゥースイヤホン１を使用者の耳にセットするとブルートゥースイヤホン１と設置主体２との接続を切断でき、音声はブルートゥースイヤホン１だけから出力される。設置主体２に接続されたスピーカはブルートゥースイヤホン１と設置主体２が分離したとき信号切断を行うので、携帯電話の通話音声はスピーカから出力されず、秘話通話をすることができる。設置場所を離れるとき、ブルートゥース機能に対応する携帯電話を携帯すればブルートゥースイヤホン１を使用して通話などの機能を継続できる。
【００３１】
車内で使用する場合の第１の実施形態：カーオーディオと接続するとブルートゥースカーオーディオ型消音式携帯電話ハンズフリー装置となる。設置時、設置主体２を車内の運転者の口から適当な距離の位置に固定した後、カーオーディオ型携帯電話ハンズフリー消音システム装置、音響装置本体、音響装置スピーカおよび電源などの関連装置を接続し、その後ブルートゥースイヤホン１を設置主体２内に設置する。
【００３２】
秘話通話をするときは設置主体２上のブルートゥースイヤホン１を使用者の耳上にセットするとブルートゥースイヤホン１と設置主体２との接続を切断でき、音声はブルートゥースイヤホン１だけから出力される。設置主体２に接続されたカーオーディオ型携帯電話ハンズフリー消音システム装置はブルートゥースイヤホン１と設置主体２が分離したとき信号切断を行うので、携帯電話の通話音声は音響装置スピーカから出力されず、秘話通話をすることができる。このようにして充電、ブルートゥースハンズフリー、秘話通話および通話時の音響装置の消音など多機能のブルートゥースカーオーディオ型消音式携帯電話ハンズフリー装置となる。下車するとき、ブルートゥース機能に対応する携帯電話を携帯すればブルートゥースイヤホン１を使用して通話などの機能を継続できる。
【００３３】
車内で使用する場合の第２の実施形態：直接スピーカと接続すると車内専用のブルートゥースハンズフリー装置となり、設置時、設置主体２を車内の運転者の口の近傍の適当な距離の位置に固定した後、車内電源およびスピーカなどを接続し、その後ブルートゥースイヤホン１を設置主体２内に設置する。
【００３４】
秘話通話をするとき、設置主体２上のブルートゥースイヤホン１を使用者の耳にセットするとブルートゥースイヤホン１と設置主体２との接続を切断でき、音声はブルートゥースイヤホン１だけから出力される。設置主体２に接続されたスピーカはブルートゥースイヤホン１と設置主体２が分離したとき信号切断を行うので、携帯電話の通話音はスピーカから出力されず、秘話通話をすることができる。このようにして充電、ブルートゥースハンズフリー、秘話通話など多機能の車内用ブルートゥースハンズフリー装置となる。下車するとき、ブルートゥース機能に対応する携帯電話を携帯すればブルートゥースイヤホン１を使用して通話などの機能を継続できる。
【００３５】
上述の説明から分かるように、本考案は従来技術のようにブルートゥースイヤホンおよびハンズフリー携帯電話システムにブルートゥースモジュールをそれぞれ設置する必要がないのでコストを削減でき、従来技術による手段で達成する機能と同様の機能を経済的に達成できる。特に使用時における高い利便性を備えるので、ブルートゥースイヤホンをブルートゥースイヤホンだけでなく、用途を拡大して各種ブルートゥースハンズフリー装置（例えば車内用ブルートゥースハンズフリー装置、ブルートゥースカーオーディオ型消音式携帯電話ハンズフリー装置、卓上ブルートゥースハンズフリー装置、卓上ブルートゥース音響装置型消音式携帯電話ハンズフリー装置、室内ブルートゥースハンズフリー装置または室内ブルートゥース音響装置型消音式携帯電話ハンズフリー装置など）として使用でき、使用されるブルートゥース携帯電話は各種ブルートゥースハンズフリー装置に対応させて接続しなおす必要がない。
【００３６】
従来技術によるブルートゥースイヤホンはイヤホンとしてだけ使用され、使用者が車内に入って車を運転し、各種ブルートゥース車内用ハンズフリー装置に変更したり、室内に戻って各種室内または卓上型のブルートゥースハンズフリー装置に変更したりする場合、使用者は使用中のブルートゥースイヤホンの機能に対応した携帯電話とブルートゥースイヤホンとの接続を一旦解除し、再び各種ブルートゥースハンズフリー装置（例えば車内用ブルートゥースハンズフリー装置、ブルートゥースカーオーディオ型消音式携帯電話ハンズフリー装置、卓上ブルートゥースハンズフリー装置、卓上ブルートゥース音響装置型消音式携帯電話ハンズフリー装置、室内ブルートゥースハンズフリー装置または室内ブルートゥース音響装置型消音式携帯電話ハンズフリー装置など）と接続して使用する必要がある。しかし本考案においては従来技術のように、ブルートゥース携帯電話において、ブルートゥースイヤホンおよび各種ブルートゥースハンズフリー装置を交互に使用するとき、そのつど接続したり、接続を解除したりするなどの煩わしい作業をする必要がない。
【００３７】
本考案は、ブルートゥースイヤホンの設置主体とその他のブルートゥースモジュールを備える表示機能を有する電子装置とを接続し、ＧＰＳモジュールのデータを表示機能を有する電子装置のモニタに表示し、運転時の電子地図として使用するものであり、最も経済的な価格でＧＰＳ機能を備えるブルートゥースハンズフリー装置を提供できる。
【図面の簡単な説明】
【００３８】
【図１】本考案の実施例のＧＰＳ機能を備えるブルートゥースハンズフリー装置と、ブルートゥースモジュールを備える表示機能を有する電子装置とが無線接続された状態を示す模式図である。
【図２】図１の設置主体底部に固定式の表示ユニットを設置した状態を示す斜視図である。
【図３】図１の設置主体底部に反転式の表示ユニットを設置した状態を示す斜視図である。
【図４】図１の設置主体上部に固定式の表示ユニットを設置した状態を示す斜視図である。
【図５】本考案のＧＰＳ機能を備えるブルートゥースハンズフリー装置の第１の実施例を示すブロック図である。
【図６】本考案のＧＰＳ機能を備えるブルートゥースハンズフリー装置の第２の実施例を示すブロック図である。
【図７】本考案のＧＰＳ機能を備えるブルートゥースハンズフリー装置の第３の実施例を示すブロック図である。
【図８】本考案のＧＰＳ機能を備えるブルートゥースハンズフリー装置の第４の実施例を示すブロック図である。
【符号の説明】
【００３９】
１    ブルートゥースイヤホン
１１  ブルートゥースモジュール
１２  アンテナ
１３  第１の電源変換回路
１４  電池
１５  イヤホン
１６  マイク
１７  第１の接続部材
１８  電池充電回路
２    設置主体
２１  第２の接続部材
２２  電源接続部材
２３  第２の電源変換回路
２４  マイク
２５  音声品質改善回路
２６  音声出力調整回路
２７  音声出力装置
２８  電池
２９  電池充電回路
３０  ＧＰＳモジュール
３１  ボイスエンコーダ／デコーダ
３２、３４、３５  表示ユニット
３３  反転蓋
３    電源供給装置
４    ＧＰＳモジュール
５    表示機能を有する電子装置
５１  ブルートゥースモジュール
【図１】
0003135205.tif 000003
【図２】
0003135205.tif 000004
【図３】
0003135205.tif 000005
【図４】
0003135205.tif 000006
【図５】
0003135205.tif 000007
【図６】
0003135205.tif 000008
【図７】
0003135205.tif 000009
【図８】
0003135205.tif 000010